(57)【要約】【課題】１人で安全に取り付けができる天井旋回扇の取付装置を提供することを目的としている。【解決手段】送風部４を下向きに旋回可能に支持する中空のスタンド５に内装される電装部６の上方を覆う蓋体７とスタンド５より延設する支持金具８に着脱可能に接続され、天井設置の吊り下げボルト９に連結される天井取付板１１とを設け、蓋体７をスタンド５内部に配して天井取付板１１との間にコード２２の収納部１３を収納可能とすることにより、１人で安全な取り付けができる天井旋回扇の取付装置が得られる。【選択図】図１
2006200458.tif 000002
【特許請求の範囲】
【請求項１】
羽根とガードおよび電動機からなる送風部と、この送風部を下向きに旋回可能に支持する中空のスタンドと、このスタンドに内装される電装部の上方を覆う蓋体と、前記スタンドより延設する支持金具に着脱可能に接続され、天井設置の吊り下げボルトに連結される天井取付板とを備え、前記蓋体を前記スタンド内部に配して、前記天井取付板との間に電源コードを収納可能とした天井旋回扇の取付装置。
【請求項２】
中空のスタンドを補強するように形成された複数の補強リブと、この補強リブと前記スタンドの壁部とで囲まれる領域に、蓋体を嵌入して構成した請求項１記載の天井旋回扇の取付装置。
【請求項３】
支持金具を囲む保護リブを蓋体に形成した請求項１または２記載の天井旋回扇の取付装置。
【請求項４】
スタンド内の蓋体より上位の壁部にコード引き出し孔を形成した請求項１記載の天井旋回扇の取付装置。
【請求項５】
天井取付板を反スタンド側に膨ますようにスタンド側を凹形状とした請求項１記載の天井旋回扇の取付装置。
【請求項６】
天井設置の吊り下げボルトに連結するために天井取付板に吊孔を備え、前記吊孔を天井取付板の中心に設けた中心吊孔と、この中心吊孔の左右対称位置に設けた左右吊孔とにより構成した請求項１記載の天井旋回扇の取付装置。
【請求項７】
左右吊孔を長孔とし、孔ピッチを５０ｍｍ以上とした請求項６記載の天井旋回扇の取付装置。
【発明の詳細な説明】
【技術分野】
【０００１】
本発明は、天井に吊り下げ設置する天井旋回扇の取付装置に関する。
【背景技術】
【０００２】
従来、この種の天井旋回扇の取付装置は、天井裏に配設された電源ケーブルと、天井旋回側のコードを天井旋回扇の取付時に接続するものが知られている。
【０００３】
また、天井裏から垂設された吊り下げボルトに固定される空調装置が知られている（例えば、特許文献１参照）。
【０００４】
以下、その天井旋回扇の取付装置について図９〜図１２を参照しながら説明する。
【０００５】
図に示すように、スタンド１０１内の電装品収納部１０２に収納された電装品１０３と接続されたコード１０４をスタンド１０１外に引き出した状態で電装品収納部１０２上に蓋１０５を設けて閉鎖し、スタンド１０１の裏面側には爪１０６を設けた本体側取付金具１０７を設け天井旋回扇を形成している。
【０００６】
そして、天井裏から吊り下げられた吊り下げボルト１０８に、本体側取付金具１０７に設けた爪１０６が挿入し回動することにより係止する係止孔１０９を設けた天井側取付金具１１０をナット１１１を螺合して取り付けるとともに、天井側取付金具１１０に設けた電源ケーブル１１２の引き出し孔１１３より、電源ケーブル１１２を引き出し、コード１０４と電源ケーブル１１２を圧着接続子１１４等で接続し、天井旋回扇の本体側取付金具１０７に設けた爪１０６を天井側取付金具１１０の係止孔１０９を係合し、天井旋回扇を天井１１５に取り付ける。
【０００７】
このとき、天井旋回扇側にはコード１０４等の収納部がないため、余分のコード１０４や電源ケーブル１１２は天井裏内に押し込みながら天井旋回扇を取り付けていた。
【特許文献１】特開平６−３２３５６５号公報（図１）
【発明の開示】
【発明が解決しようとする課題】
【０００８】
このような従来の天井旋回扇の取付装置では、スタンド１０１内にコード収納部がないため、余ったコード１０４等を天井裏に押し込む作業をしながら天井旋回扇を取付けねばならないので、１人で取り付け作業をするのは困難であるという課題があり、１人で取り付けできるようにすることが要求されている。
【０００９】
また、余ったコード１０４等をスタンド内に収納しとうとすると、スタンド内の金具に触れたりスタンド１０１の端部に挟まれたりする危険性があるという課題があり、安全に取り付けられるようにすることが要求されている。
【００１０】
本発明は、上記課題を解決するもので、一人で安全に取り付けができる天井旋回扇の取付装置を提供することを目的としている。
【課題を解決するための手段】
【００１１】
本発明の天井旋回扇の取付装置は、上記目的を達成するために、羽根とガードおよび電動機からなる送風部と、この送風部を下向きに旋回可能に支持する中空のスタンドと、このスタンドに内装される電装部の上方を覆う蓋体と、前記スタンドより延設する支持金具に着脱可能に接続され、天井設置の吊り下げボルトに連結される天井取付板とを備え、前記蓋体を前記スタンド内部に配して、前記天井取付板との間に電源コードを収納可能としたものである。
【００１２】
この手段により、取付作業が容易にできるとともに、安全な取り付けを行うことができる天井旋回扇の取付装置が得られる。
【００１３】
また、本発明の天井旋回扇の取付装置は上記目的を達成するために、中空のスタンドを補強するように形成された複数の補強リブと、この補強リブと前記スタンドの壁部とで囲まれる領域に蓋体を嵌入して構成したものである。
【００１４】
この手段により、電装部およびコードを収納保護するとともに、強度を上げ強固な構造の天井旋回扇の取付装置が得られる。
【００１５】
また、本発明の天井旋回扇の取付装置は、支持金具を囲む保護リブを蓋体に形成したものである。  
【００１６】
この手段により、支持金具のエッジから電線を保護することができるとともに、取り出しや着脱時の操作が容易となる天井旋回扇の取付装置が得られる。
【００１７】
また、本発明の天井旋回扇の取付装置は、スタンド内の蓋体より上位の壁部にコード引き出し孔を形成したものである。
【００１８】
この手段により、工事性が良くなるとともに、電装部に影響を与えないため安全な構造の天井旋回扇の取付装置が得られる。
【００１９】
また、本発明の天井旋回扇の取付装置は、天井取付板を反スタンド側にふくらむようにスタンド側を凹形状としたものである。
【００２０】
この手段により、コード収納部をより広くできるとともに、天井取付板の強度を高めることのできる天井旋回扇の取付装置が得られる。
【００２１】
また、本発明の天井旋回扇の取付装置は、天井設置の吊り下げボルトに連結するために天井取付板に吊孔を備え、前記吊孔を天井取付板の中心に設けた中心吊孔と、この中心吊孔の左右対称位置に設けた左右吊孔とにより構成したものである。
【００２２】
この手段により、工事性の多様化に対応した構造の天井旋回扇の取付装置が得られる。
【００２３】
また、本発明の天井旋回扇の取付装置は、左右吊孔を長孔とし、孔ピッチを５０ｍｍ以上したものである。
【００２４】
この手段により、取り付けのずれを修正できるとともに、安全に取付工事ができる天井旋回扇の取付装置が得られる。
【発明の効果】
【００２５】
本発明によれば、取付作業が容易で安全な取り付けができるという効果のある天井旋回扇の取付装置を提供できる。
【００２６】
また、電装部およびコードを収納保護するとともに、強固な構造にできるという効果のある天井旋回扇の取付装置を提供できる。
【００２７】
また、支持金具のエッジから電線を保護することができるとともに、取り出し、着脱時の操作が容易となるという効果のある天井旋回扇の取付装置を提供できる。
【００２８】
また、工事性が良くなるとともに、電装部に影響を与えない安全な構造となる効果のある天井旋回扇の取付装置を提供できる。
【００２９】
また、コード収納部をより広くできるとともに、天井取付板の強度を高めることができる効果のある天井旋回扇の取付装置を提供できる。
【００３０】
また、工事性の多様化に対応した構成を得ることができる効果のある天井旋回扇の取付装置を提供できる。
【００３１】
また、取り付けのずれを修正できるとともに、安全に取り付けができるという効果のある天井旋回扇の取付装置を提供できる。
【発明を実施するための最良の形態】
【００３２】
本発明の請求項１記載の発明は、羽根とガードおよび電動機からなる送風部と、この送風部を下向きに旋回可能に支持する中空のスタンドと、このスタンドに内装される電装部の上方を覆う蓋体と、前記スタンドより延設する支持金具に着脱可能に接続され、天井設置の吊り下げボルトに連結される天井取付板とを備え、前記蓋体を前記スタンド内部に配して、前記天井取付板との間に、電源コードを収納可能としたものであり、天井から引き出した電源コードと送風部側からのコードを天井と送風部のスタンド間で接続し、余分なコードはスタンドと天井取付板との間に形成されるコードの収納部に収納することができ、天井裏に余ったコードを押し込む場合と比較して、天井旋回扇の取付作業が容易にできるという作用を有する。
【００３３】
また、請求項２記載の発明は、中空のスタンドを補強するように形成された複数の補強リブと、この補強リブと前記スタンドの壁部とで囲まれる領域に、蓋体を嵌入して構成したものであり、補強リブとスタンドの壁部とで囲まれる領域に蓋体を嵌入することで、電装部およびコードの収納部が保護されるとともに、スタンドの壁部が支えられることでスタンドの強度を高めることができるという作用を有する。
【００３４】
また、請求項３記載の発明は、支持金具を囲む保護リブを蓋体に形成したものであり、支持金具のエッジからコードを保護することができ安全性が高められるとともに、取り出し、着脱時の操作が容易にできるという作用を有する。
【００３５】
また、請求項４記載の発明は、スタンドの蓋体より上位の壁部にコード引き出し孔を形成したものであり、蓋体から引き出したコードをスタンド内に嵌入した蓋体より上部に位置したところのコード引き出し孔よりスタンドの外部に引き出し、天井側面に取り付ける場合は、そのままの状態で電源コードに接続し取り付け、天井に直に取り付ける場合は、コードを壁部のコード引き出し孔よりコードをスタンド内に引き抜き、コードをコード引き出し孔を通さない状態で使用するので、電源コードとの接続が容易で工事性が良く、また、電装部に悪影響を与えない安全な構造が得られるという作用を有する。
【００３６】
また、請求項５記載の発明は、天井取付板を反スタンド側にふくらますようにスタンド側を凹形状としたものであり、天井取付板とスタンド間のコード収納部をより広くできるとともに、天井取付板の強度を高めることができるという作用を有する。
【００３７】
また、請求項６記載の発明は、天井設置の吊り下げボルトに連結するために天井取付板に吊孔を備え、前記吊孔を天井取付板の中心に設けた中心吊孔と、この中心吊孔の左右対称位置に設けた左右吊孔とにより構成したものであり、天井から吊り下げられた吊り下げボルトが１本の場合には、天井取付板の中心吊孔を使用し、天井からの吊り下げボルトが２本の場合には、左右吊孔を使用することで、天井取付の多様化に対応することができ、工事性の多様化に対応した構造が得られるという作用を有する。
【００３８】
また、請求項７記載の発明は、左右吊孔を長孔とし、孔ピッチを５０ｍｍ以上としたものであり、左右吊孔を長孔とすることにより、取り付けのずれを容易に修正して取り付けられるとともに、左右吊孔のピッチを５０ｍｍ以上とすることで、アンカーボルトをコンクリートの天井にアンカーで打つ場合のコンクリートの割れを防ぐことができ、より安全に容易に工事ができるという作用を有する。
【００３９】
以下、本発明の実施の形態について図面を参照しながら説明する。
【００４０】
（実施の形態１）
図１〜図８に示すように、羽根１とガード２および電動機３からなる送風部４を下向きにロッド５ａを介して旋回可能に支持するスタンド５と、スタンド５に内装される電装部６の上方を覆う蓋体７と、スタンド５より延設する支持金具８に着脱可能に接続され天井設置の吊り下げボルト９にナット１０を介して連結される天井取付板１１とを備え、蓋体７をスタンド５内部に配して天井取付板１１との間に電源コード１２を収納可能な収納部１３に設け、中空のスタンド５は補強されるように複数の補強リブ１４を設け、補強リブ１４とスタンド５の壁部１５とで囲まれる領域に、蓋体７を嵌入して構成する。
【００４１】
また、支持金具８を囲み保護する保護リブ１６を蓋体７に形成し、スタンド５内の蓋体７より上位の壁部１５にコード引き出し孔１７を形成し、天井取付板１１は反スタンド側に、膨むように、スタンド５側を凹形状に形成する。
【００４２】
また、天井設置の吊り下げボルト９に連結するために、天井取付板１１に吊孔１８を設け、吊孔１８を天井取付板１１の中心に設けた中心吊孔１９と、中心吊孔１９の左右対称位置に設けられる左右吊孔２０とを設け、左右吊孔２０は長孔として、孔ピッチを５０ｍｍ以下に形成する。
【００４３】
また、天井取付板１１には天井旋回扇２１からのコード２２と天井から引き出された電源コード１２を接続し、天井旋回扇２１を天井に取り付ける間に天井旋回扇２１が落下しないように仮支持できるワイヤー２３の一方を天井取付板１１に取り付け、他方を天井旋回扇２１に設けた支持金具８に取り付け、仮支持手段２４を形成し、支持金具８に設けた爪２５が係合する係合孔２６を天井取付板１１に設け構成する。
【００４４】
上記構成において、１本の吊り下げボルト９を用いて天井旋回扇２１を吊り下げ取り付ける場合には、天井裏から天井板２７を貫通し、天井板２７の下面に露出した吊り下げボルト９に天井取付板１１の中心吊孔１９を嵌挿するとともに、天井裏の電源コード１２を天井取付板１１を通して引き出し、吊り下げボルト９にナット１０を螺合して吊り下げボルト９に天井取付板１１を取り付け、仮支持手段２４を介して天井取付板１１に天井旋回扇２１を仮支持し、仮支持した状態で、天井裏から引き出した電源コード１２と、コード引き出し孔１７より外部へ引き出されているコード２２をコード引き出し孔１７より内部に引き入れている天井旋回扇２１のコード２２を接続する。
【００４５】
そして、接続された電源コード１２およびコード２２の余分に多く引き出された部分を蓋体７と天井取付板１１間に設けられた収納部１３に収納し、天井旋回扇２１の爪２５を天井取付板１１に設けた係合孔２６に係合して天井旋回扇２１を天井取付板１１を介して天井板２７の下方に取り付ける。  
【００４６】
次に、２本の吊り下げボルト９を用いて天井旋回扇２１を吊り下げる場合には、天井板２７を貫通した吊り下げボルト９に、天井取付板１１に形成された長孔状の左右吊孔２０を嵌挿し、ナット１０を螺合して天井取付板１１を取り付ける。このとき、２本の吊り下げボルト９の位置が少しずれていても、天井取付板１１に設けた左右吊孔２０は、長孔の形状より調整して取り付けることができる。
【００４７】
そして、天井旋回扇２１を天井取付板１１に取り付けるときには、１本の吊り下げボルト９により天井取付板１１を取り付けた場合と同様に仮支持手段２４を介し仮支持しながら取り付けることとなる。
【００４８】
このように本発明の実施の形態１によれば、羽根１とガード２および電動機３からなる送風部４と、送風部４を下向きに旋回可能に支持する中空のスタンド５と、スタンド５に内装される電装部６の上方を覆う蓋体７と、スタンド５より延設する支持金具８に着脱可能に接続され、天井設置の吊り下げボルト９に連結される天井取付板１１とを備え、蓋体７をスタンド５内部に配して天井取付板１１との間に電源コード１２を収納可能としたことにより、天井板２７より引き出した電源コード１２と天井旋回扇２１側からのコード２２を接続し、余分に引き出された電源コード１２等は、蓋体７と天井取付板１１間に設けられた収納部１３に収納することができ、天井裏に余分な電源コード１２等を押し込む場合と比較して天井旋回扇２１の取付作業が容易にできる。
【００４９】
また、中空のスタンド５を補強するように形成された複数の補強リブ１４と、補強リブ１４とスタンド５の壁部１５とで囲まれる領域に蓋体７を嵌入することにより、電装部６およびコード２２の収納部１３が保護されるとともに、スタンド５の壁部１５が支えられることでスタンド５の強度を高めることができる。
【００５０】
また、支持金具８を囲む保護リブ１６を蓋体７に形成することにより、支持金具８のエッジがコード２２を保護することができ、安全性が高められるとともに、取り出し、着脱時の操作が容易にできる。
【００５１】
また、スタンド５の蓋体７より上位の壁部１５にコード引き出し孔１７を形成したことにより、蓋体７から引き出したコード２２をスタンド５内に嵌入した蓋体７より上部に位置したところのコード引き出し孔１７からスタンド５の外部に引き出し、天井側面に取り付ける場合には、そのままの状態で電源コード１２に接続し取り付ける。
【００５２】
天井に直に取り付ける場合は、コード２２を壁部１５のコード引き出し孔１７よりコード２２をスタンド５内に引き抜き、コード２２をコード引き出し孔１７を通さない状態となり、電源コード１２との接続が容易で工事性が良く、また、電装部６に悪影響を与えずに安全にできる。
【００５３】
また、天井取付板１１を反スタンド側にふくらますようにスタンド５側を凹形状としたことにより、天井取付板１１とスタンド５間のコード２２の収納部１３をより広くできるとともに、天井取付板１１の強度を高めることができる。
【００５４】
また、天井設置の吊り下げボルト９に連結するために天井取付板１１に吊孔１８を備え、吊孔１８を天井取付板１１の中心に設けた中心吊孔１９と、中心吊孔１９の左右対称位置に設けた左右吊孔２０とにより構成することにより、天井から吊り下げられた吊り下げボルト９が１本の場合には天井取付板１１の中心吊孔１９を使用し、天井からの吊り下げボルト９が２本の場合には、左右吊孔２０を使用することで、天井取付の多様化に対応することができ、工事性の多様化に対応できる。
【００５５】
また、左右吊孔２０を長孔とし、孔ピッチを５０ｍｍ以上としたものであり左右吊孔２０を長孔とすることにより、取り付けのずれを容易に修正して取り付けられるとともに、左右吊孔２０のピッチを５０ｍｍ以上とすることで、アンカーボルトをコンクリートの天井に打つ場合にコンクリートの割れを防ぐことができ、より安全に容易に工事ができる。
【産業上の利用可能性】
【００５６】
電源コードとコードを接続し余った部分を収納する手段を用いて天井や側壁に取り付けられる換気扇の用途にも適用できる。
【図面の簡単な説明】
【００５７】
【図１】本発明の実施の形態１の天井旋回扇の概略図
【図２】同天井旋回扇の取付装置の天井取付板に支持金具の爪を係合したときの上面図
【図３】同天井旋回扇の取付装置の分解斜視図
【図４】同天井旋回扇の取付装置のスタンドの上面側を示す斜視図
【図５】同天井旋回扇の取付装置のスタンドの保護リブを示す上面図
【図６】同天井旋回扇の取付装置の天井取付時のコードの状態を示す上面図
【図７】同天井旋回扇の取付装置の吊り下げボルト１本の状態を示す側面図
【図８】同天井旋回扇の取付装置の吊り下げボルト２本の状態を示す側面図
【図９】従来の天井旋回扇の取付装置のスタンドの上面図
【図１０】同天井旋回扇の取付装置の蓋を設けた状態を示すスタンドの上面図
【図１１】同天井旋回扇の取付装置の吊り下げ状態を示す側面図
【図１２】同天井旋回扇の取付装置のコードの接続時の状態を示す斜視図
【符号の説明】
【００５８】
１    羽根
２    ガード
３    電動機
４    送風部
５    スタンド
６    電装部
７    蓋体
８    支持金具
９    吊り下げボルト
１１  天井取付板
１２  電源コード
１３  収納部
１４  補強リブ
１５  壁部
１６  保護リブ
１７  コード引き出し孔
１８  吊孔
１９  中心吊孔
２０  左右吊孔
２２  コード
【図１】
2006200458.tif 000003
【図２】
2006200458.tif 000004
【図３】
2006200458.tif 000005
【図４】
2006200458.tif 000006
【図５】
2006200458.tif 000007
【図６】
2006200458.tif 000008
【図７】
2006200458.tif 000009
【図８】
2006200458.tif 000010
【図９】
2006200458.tif 000011
【図１０】
2006200458.tif 000012
【図１１】
2006200458.tif 000013
【図１２】
2006200458.tif 000014